(57)【要約】【課題】個人認証のための動作を被測定者に意識させることなく個人認証を行える測定装置及びシステムを提供する。【解決手段】体重計１０の本体部２０の上面に足載せ台２１を備え、その足載せ台２１において被測定者の足指が位置する部分に指紋センサー２２を備える。被測定者が足載せ台２１上に立つだけで、指紋センサー２２が指紋を読み取って個人認証を行い、個人毎に測定した体重を保存する。【選択図】図１
2007190272.tif 000002
【特許請求の範囲】
【請求項１】
被測定体を測定する測定部と、
前記測定に必要な前記被測定体の身体部位から前記被測定体を認証するための生体情報を取得する生体情報取得部と、
前記生体情報に基づいて前記被測定体の個体認証を行う認証部と、  
前記生体情報と前記測定部の測定結果とを関連づけて格納する測定結果格納部と、
を備えることを特徴とする測定装置。
【請求項２】
被測定体の測定を行うために必要な前記被測定体の基本情報と、前記被測定体を認証するための生体情報と、を関連づけて格納する基本情報格納部と、
前記測定に必要な前記被測定体の身体部位から前記生体情報を取得する生体情報取得部と、
前記生体情報に基づいて前記被測定体の個体認証を行う認証部と、
前記基本情報格納部を参照し、前記生体情報に関連づけられた基本情報を読み出し、該基本情報を用いて前記被測定体の測定を行う測定部と、
を備えることを特徴とする測定装置。
【請求項３】
前記被測定体が立つための足載せ部を更に備え、
前記生体情報取得部は、前記足載せ部に載せた前記被測定体の足の指の指紋情報、前記被測定体の足裏の形状情報、又は前記被測定体の足裏の静脈走行情報のうちの少なくとも一つを取得する、
ことを特徴とする請求項１又は２に記載の測定装置。
【請求項４】
前記足載せ部は、前記被測定体の左右の足に電流を印加してインピーダンスを計測するインピーダンス計測部を更に備え、
前記測定部は、前記インピーダンス計測部が計測したインピーダンスと、前記基本情報と、に基づいて前記被測定体の体脂肪量又は体脂肪率を測定する、
ことを特徴とする請求項３に記載の測定装置。
【請求項５】
前記足載せ部は、前記被測定体の左右の足に電流を印加してインピーダンスを計測するインピーダンス計測部を更に備え、
前記測定部は、前記足載せ部に立った被測定体の体重を測定するとともに、前記測定した体重と、前記インピーダンス計測部が計測したインピーダンスと、前記基本情報と、に基づいて前記被測定体の体脂肪量又は体脂肪率を測定する、
ことを特徴とする請求項３に記載の測定装置。
【請求項６】
前記測定部は、前記被測定体の指、手首、又は上腕を介して前記被測定体の血圧及び脈拍数を測定し、
前記生体情報取得部は前記指の指紋情報、又は前記手首又は上腕の静脈走行情報を取得する、
ことを特徴とする請求項１に記載の測定装置。
【請求項７】
被測定体を測定するための測定装置と、該測定装置にネットワークを介して接続された管理装置とを備えた測定システムであって、
前記測定装置は、
前記被測定体を測定する測定部と、
前記測定に必要な前記被測定体の身体部位から前記被測定体を認証するための生体情報を取得する生体情報取得部と、
前記管理装置に前記生体情報を送信するための第一通信部と、を備え、
前記管理装置は、
前記測定装置から前記生体情報を受信するための第二通信部と、
受信した生体情報に基づいて前記被測定体の個体認証を行う認証部と、  
前記生体情報と前記測定部の測定結果とを関連づけて格納する測定結果格納部と、
を備えることを特徴とする測定システム。
【請求項８】
被測定体を測定するための測定装置と、該測定装置にネットワークを介して接続された管理装置とを備えた測定システムであって、
前記被測定体の測定を行うために必要な前記被測定体の基本情報を用いて、前記被測定体の測定を行う測定部と、
前記測定に必要な前記被測定体の身体部位から前記被測定体を認証するための生体情報を取得する生体情報取得部と、
前記管理装置に前記生体情報を送信し、かつ前記管理装置から前記基本情報を受信するための第一通信部と、を備え、
前記管理装置は、
前記測定装置から前記生体情報を受信し、かつ前記測定装置に前記基本情報を送信するための第二通信部と、
前記受信した生体情報に基づいて前記被測定体の個体認証を行う認証部と、  
前記基本情報と前記生体情報とを関連づけて格納する基本情報格納部と、
前記基本情報格納部を参照し、認証された生体情報に関連づけられた基本情報を読み出す読出部と、を備え、
前記測定部は、前記管理装置から受信した基本情報を用いて前記被測定体の測定を行う、
ことを特徴とする測定システム。
【請求項９】
前記管理装置は、複数種類の測定装置と前記ネットワークを介して接続され、
前記測定結果格納部又は基本情報格納部は、一の被測定体に対し、各測定装置において取得される複数の生体情報を格納する、
ことを特徴とする請求項７又は８に記載の測定システム。
【発明の詳細な説明】
【技術分野】
【０００１】
本発明は、測定装置及びシステムに係り、特に被測定体の身体特徴量を測定する技術に関する。
【背景技術】
【０００２】
特許文献１には、被測定体の指紋データを用いて個人認証を行い、その被測定体を計測した結果、例えば体重や体脂肪率に基づいて、各被測定体に応じた健康アドバイスを提示する健康アドバイス装置が開示されている。
【特許文献１】特開２０００−１７２８５１号公報
【発明の開示】
【発明が解決しようとする課題】
【０００３】
しかし、上記特許文献１では、被測定者が計測するための動作と共に個人認証をするための動作を行う必要があるという問題があった。
【０００４】
本発明は、上記問題に鑑みてなされたものであり、被測定体に個人認証をさせるための動作を意識させることなく個人認証を行うことができる測定装置及びシステムを提供することを目的とする。
【課題を解決するための手段】
【０００５】
上記目的を達成するために、本発明に係る測定装置は、被測定体を測定する測定部と、前記測定に必要な前記被測定体の身体部位から前記被測定体を認証するための生体情報を取得する生体情報取得部と、前記生体情報に基づいて前記被測定体の個体認証を行う認証部と、前記生体情報と前記測定部の測定結果とを関連づけて格納する測定結果格納部と、を備えることを特徴とする。
【０００６】
これにより、被測定体が測定を行うための動作を行うだけで、被測定体を個体認証し、測定結果を被測定体毎に保存・管理することができる。
【０００７】
また、本発明に係る測定装置は、被測定体の測定を行うために必要な前記被測定体の基本情報と、前記被測定体を認証するための生体情報と、を関連づけて格納する基本情報格納部と、前記測定に必要な前記被測定体の身体部位から前記生体情報を取得する生体情報取得部と、前記生体情報に基づいて前記被測定体の個体認証を行う認証部と、前記基本情報格納部を参照し、前記生体情報に関連づけられた基本情報を読み出し、該基本情報を用いて前記被測定体の測定を行う測定部と、を備えることを特徴とする。
【０００８】
これにより、被測定者が被測定体の測定に必要な動作を行うだけで生体情報を読み取り、その読み取った生体情報に基づいて基本情報を読み出して測定を行うことができる。
【０００９】
また、前記被測定体が立つための足載せ部を更に備え、前記生体情報取得部は、前記足載せ部に載せた前記被測定体の足の指の指紋情報、前記被測定体の足裏の形状情報、又は前記被測定体の足裏の静脈走行情報のうちの少なくとも一つを取得してもよい。
【００１０】
また、前記足載せ部は、前記被測定体の左右の足に電流を印加してインピーダンスを計測するインピーダンス計測部を更に備え、前記測定部は、前記インピーダンス計測部が計測したインピーダンスと、前記基本情報と、に基づいて前記被測定体の体脂肪量又は体脂肪率を測定してもよい。
【００１１】
これにより、体重計に載るだけで被測定体を認識し、その体脂肪量又は率を算出することができる。
【００１２】
また、前記足載せ部は、前記被測定体の左右の足に電流を印加してインピーダンスを計測するインピーダンス計測部を更に備え、前記測定部は、前記足載せ部に立った被測定体の体重を測定するとともに、前記測定した体重と、前記インピーダンス計測部が計測したインピーダンスと、前記基本情報と、に基づいて前記被測定体の体脂肪量又は体脂肪率を測定してもよい。
【００１３】
これにより、体重計に載るだけで被測定体を認識して、その体重を測定し、更に測定した体重をパラメータに使って体脂肪量又は率を算出することができる。
【００１４】
また、前記測定部は、前記被測定体の指、手首、又は上腕を介して前記被測定体の血圧及び脈拍数を測定し、前記生体情報取得部は前記指の指紋情報、又は前記手首又は上腕の静脈走行情報を取得してもよい。
【００１５】
これにより、血圧及び心拍数を測定する動作を行うだけで、被測定体と血圧及び心拍数とを関連づけて保存することができる。
【００１６】
また、本発明に係る測定システムは、被測定体を測定するための測定装置と、該測定装置にネットワークを介して接続された管理装置とを備えた測定システムであって、前記測定装置は、前記被測定体を測定する測定部と、前記測定に必要な前記被測定体の身体部位から前記被測定体を認証するための生体情報を取得する生体情報取得部と、前記管理装置に前記生体情報を送信するための第一通信部と、を備え、前記管理装置は、前記測定装置から前記生体情報を受信するための第二通信部と、受信した生体情報に基づいて前記被測定体の個体認証を行う認証部と、前記生体情報と前記測定部の測定結果とを関連づけて格納する測定結果格納部と、を備えることを特徴とする。  
【００１７】
これにより、測定装置から得られた測定結果を管理装置で一元管理することができる。
また、本発明に係る測定システムは、被測定体を測定するための測定装置と、該測定装置にネットワークを介して接続された管理装置とを備えた測定システムであって、前記被測定体の測定を行うために必要な前記被測定体の基本情報を用いて、前記被測定体の測定を行う測定部と、前記測定に必要な前記被測定体の身体部位から前記被測定体を認証するための生体情報を取得する生体情報取得部と、前記管理装置に前記生体情報を送信し、かつ前記管理装置から前記基本情報を受信するための第一通信部と、を備え、前記管理装置は、前記測定装置から前記生体情報を受信し、かつ前記測定装置に前記基本情報を送信するための第二通信部と、前記受信した生体情報に基づいて前記被測定体の個体認証を行う認証部と、前記基本情報と前記生体情報とを関連づけて格納する基本情報格納部と、前記基本情報格納部を参照し、認証された生体情報に関連づけられた基本情報を読み出す読出部と、を備え、前記測定部は、前記管理装置から受信した基本情報を用いて前記被測定体の測定を行う、ことを特徴とする。
【００１８】
これにより、測定に必要な基本情報を管理装置で一元管理しておき、被測定体が測定装置を用いて測定動作を行うと、その生体情報を読み取って、管理装置から被測定体の基本情報を受信し、これに基づいて身体組成情報を算出することができる。
【００１９】
また、前記管理装置は、複数種類の測定装置と前記ネットワークを介して接続され、前記測定結果格納部又は基本情報格納部は、一の被測定体に対し、各測定装置において取得される複数の生体情報を格納してもよい。
【発明の効果】
【００２０】
本発明によれば、測定に必要な被測定体の身体部位から被測定体を認証するための生体情報を取得するため、個人認証を行うことができる被測定体が測定をするための動作を行うだけで、個人認証及び身体特徴量や身体組成情報の測定、算出が行える。
【発明を実施するための最良の形態】
【００２１】
以下添付図面に従って本発明に係る測定装置及びシステムについて詳説する。
【００２２】
＜第一実施形態＞
図１は、本発明を適用した体重計１０の上面図、図２は、体重計１０のブロック図である。体重計１０は、箱状の本体部２０と本体部２０の上面に備えられ、被検体の足を載せるための足載せ部２１と、足載せ部２１に載せた被検体の足の親指の指紋を読み取るための指紋センサー２２と、測定結果を表示するための表示窓２３と、被検体の体脂肪を算出するための基本情報、例えば身長、性別、年齢を入力するための操作ボタン２４と、被検体の左右の足に電流を印加してインピーダンスを測定するためのインピーダンス計測部２５と、を備える。本体部２０の内部には、体重計１０の動作制御を行うための制御部１１と、被検体の個人情報を格納した個人データベース（以下「個人ＤＢ」という）を格納した個人ＤＢ格納部１２と、指紋センサー２２が読み取った指紋情報に基づいて認証処理を行う認証処理部１４と、足載せ部２１に加わる荷重に基づいて被検体の体重を測定する体重測定部１５と、体重と基本情報に基づいて体脂肪量及び率を算出する体脂肪算出部１７とを備え、制御部１１は、個人ＤＢ格納部１２、指紋センサー２２、認証処理部１４、体重測定部１５、体脂肪算出部１７の各動作を制御する。
【００２３】
図３は、個人ＤＢを構成するテーブル例である。図３（ａ）は、「指紋情報」、「身長」、「性別」、「今回の体重」、「体脂肪量・率」、「前回の体重」、「体脂肪量/率」の各レコードを関連づけて格納したテーブルであって、第一実施形態で使用するテーブルである。図３（ｂ）は、被測定者を固有に識別する「識別ＩＤ」、「指紋情報」、「静脈走行情報」、「身長」、「性別」、「体重」、「体脂肪量・率」、「血圧・心拍数」、「計測日時」を備えたテーブルであって、第二実施形態で使用するテーブルである。
【００２４】
次に図４に基づいて体重計１０の処理の流れを説明する。
【００２５】
Ｓ１では、被検体が、足の親指を指紋センサー２２に位置させて足載せ部２１に立つ。
【００２６】
Ｓ２では、体重測定部１５が体重を測定する。
【００２７】
Ｓ３では、指紋センサー２２が足の親指の指紋情報を読み取る。
【００２８】
Ｓ４では、認証処理部１４が、指紋センサー２２から指紋情報を取得する。そして、個人ＤＢ格納部１２に格納された個人ＤＢを参照し、取得した指紋情報と一致する個人情報があるか否かを判断する。あればＳ６へ進みなければＳ５へ進む。
【００２９】
Ｓ５は個人認証ができない場合であって、Ｓ３で読み取った指紋情報に対応する情報が個人ＤＢ格納部１２に未登録の状態である。そこで、制御部１１は、個人情報テーブルに新たなレコードを追加し、Ｓ３で読み取った指紋情報を登録する。更に、制御部１１は、その指紋情報をもつ個人の基本情報の入力を促すメッセージを表示窓２３に表示する。被測定者は、操作ボタン２４を操作して、身長、性別、体重など、体重以外の体脂肪を算出するために必要な基本情報を入力する。制御部１１は、入力された基本情報を個人ＤＢ格納部１２に格納する。
【００３０】
Ｓ６では、制御部１１は、個人ＤＢ格納部１２の個人ＤＢのうち、Ｓ３で読み取った指紋情報に対応する体重レコードの値を今回計測した体重に更新保存、又は前回の履歴に追加して保存する。 
【００３１】
Ｓ７では、制御部１１は、個人ＤＢからＳ３で読み取った指紋情報に対応する基本情報を読み取る。
【００３２】
Ｓ８では、インピーダンス計測部２５が電流を被測定者の足に印加してインピーダンスを計測する。体脂肪算出部１７は、Ｓ２で測定した体重とインピーダンスとＳ７で読み取った基本情報とに基づいて、体脂肪量又は体脂肪率を算出する。制御部１１は、算出された体脂肪量又は体脂肪率を個人ＤＢに格納する。
【００３３】
Ｓ９では、制御部１１が測定した体重及び体脂肪量又は体脂肪率を表示部１６に表示する。これにより、被測定者は、表示窓２３を介して表示された体重及び体脂肪量又は体脂肪率を視認することができる。
【００３４】
本実施形態によれば、被検体は足の親指を指紋センサー２２に位置させて足載せ部２１に立つだけで、その他の動作行うことなく、被検体の個人認証を行い、被検体毎に体重情報を保存、管理するとともに、体脂肪量及び率を算出するために必要な基本情報の読み取りを行うことができる。
【００３５】
上記実施形態では、足の親指の指紋を用いて個人認証を行ったが、個人認証は、被検体の足裏情報であればよく、被検体の足全体の形状や土ふまずの形状、被検体の足裏の静脈走行のパターン形状を示した静脈走行情報を用いてもよい。被検体の足全体の形状や土ふまずの形状を用いる場合には、指紋センサーに替えて、足載せ部２１の裏面にマトリクス状に圧電素子を配置する。そして、被検体が足載せ部２１に載ったときに加わる圧力に基づいて足全体の形状情報や土踏まずの形状を取得するように構成してもよい。更に、圧電素子の代わりに、足載せ部２１に光センサーを備え、被検体が足載せ部２１に載ったことを感知すると、上下方向又は左右方向に発光部を走査させ、その反射光の検出することにより足全体形状又は土踏まずの形状を検出したり、足裏付近を走行する静脈からの反射光を検出して静脈走行情報を検出するように構成してもよい。また、これらの足裏情報を読み取る装置を身長計の足載せ台に適用してもよいし、被測定者の踵に超音波を照射して骨密度を測定する骨密度計において被測定者の足裏の位置を固定するための固定板に適用してもよい。
【００３６】
また、本実施形態では、体脂肪量/率を測定したが、体重のみを測定する体重計に本発明を適用してもよい。その場合、図３（ａ）のテーブルは、「指紋情報」、「今回の体重」、「前回の体重」のレコードがあればよい。そして、上記ステップＳ１〜５を実行し、Ｓ９で体重のみを表示すればよい。
【００３７】
＜第二実施形態＞
図５は、本発明を適用した測定システム１００のブロック図である。測定システム１００は、ホストコンピュータ（以下「ホスト」という）５０と、体重計６０と、血圧計７０とがネットワーク８０を介して接続される。ホスト５０には、個人情報を格納した個人ＤＢ格納部４０が接続される。
【００３８】
ホスト５０は、動作制御を行うための制御部５１と、ネットワーク８０を介して体重計６０及び血圧計７０と通信するための通信部５２と、通信部５２を介して受信した指紋情報や静脈走行情報に基づいて認証処理を行う認証処理部５３とを備える。
【００３９】
体重計６０は、制御部６１と、ホスト５０と通信するための通信部６２と、体脂肪量・率を算出する体脂肪算出部６３と、体重を測定するための体重測定部６５と、測定結果を表示するための表示部６６と、指紋センサー６７と、インピーダンス計測部６８とを備える。
【００４０】
血圧計７０は、制御部７１と、ホスト５０と通信するための通信部７２と、血圧、心拍数を測定するための測定部７５と、測定結果を表示するための表示部７６と、静脈センサー７７と、を備える。図６は、血圧計７０の概略図である。血圧計７０は、被測定者の上腕部を挿入する挿入部７９を備え、静脈センサー７７は、挿入部７９に挿入された上腕部の静脈走行パターンを読みとるために、挿入部７９の内側であって挿入部７９に対向する位置に設置される。また、図７は、被測定者の人指し指で血圧、心拍数を測定する血圧計９０の概略を示す。血圧計９０は、人指し指を挿入する挿入部９９と、挿入された人指し指を指示する指示板９８ａと、指示板９８ａのうち、人指し指の第一関節部が接触する面に透過部９８ｂを備え、その透過部９８ｂを介して人指し指の指紋情報を読み取る指紋センサー９７を備えてもよい。
【００４１】
次に図８に基づいて測定システム１００の処理の流れを説明する。
【００４２】
Ｓ１１では、被検体が、足の親指を指紋センサー２２に位置させて足載せ部２１に立つ。
【００４３】
Ｓ１２では、指紋センサー２２が足の親指の指紋情報を読み取る。
【００４４】
Ｓ１３では、体重計６０の通信部６２からホスト５０に対して指紋情報が送信される。
【００４５】
Ｓ１４では、ホスト５０の通信部５２が指紋情報を受信する。そして認証処理部５３が、個人ＤＢ格納部１２に格納された個人ＤＢを参照し、取得した指紋情報と一致する個人情報があるか否かを判断する。なければＳ１５へ進み、あればＳ１６へ進む。
【００４６】
Ｓ１５では、基本情報の登録を被測定者に促すメッセージの表示、及び基本情報の登録を行う。基本情報の登録は、ホスト５０に接続された図示しない端末装置から行ってもよいし、体重計６０からＩＤを入力し・送信してもよい。
【００４７】
Ｓ１６では、体重測定部１５が体重を測定し、その結果をホスト５０へ送信する。ホスト５０の制御部５１は、個人ＤＢ格納部４０に、Ｓ１２で受信した指紋情報に対応する体重レコードの値を今回計測した体重に更新保存、又は前回の履歴に追加して保存する。 
【００４８】
Ｓ１７では、制御部１１は、個人ＤＢ格納部４０を参照し、個人ＤＢからＳ１２で読み取った指紋情報に対応する基本情報を読み取る。
【００４９】
Ｓ１８では、インピーダンス計測部２５が電流を被測定者の足に印加してインピーダンスを測定する。ホスト５０は、体重計６０に対しＳ１７で読み取った基本情報を送信し、通信部６２が受信する。体脂肪算出部６３は、Ｓ１６で測定した体重と、測定したインピーダンスと、受信した基本情報とに基づいて、体脂肪量又は体脂肪率を算出する。算出した体脂肪量又は体脂肪率は、体重計６０からホスト５０に送信され、制御部５１により個人ＤＢ格納部４０に保存される。
【００５０】
Ｓ１９では、体重計６０の制御部６１が、体重、体脂肪量又は体脂肪率を表示部６６に表示する。これにより、被測定者は、体重及び体脂肪量又は体脂肪率を視認することができる。
【００５１】
Ｓ２０では被測定者は、体重計６０から降り、血圧の測定を行うために血圧計７０の挿入部７９に上腕部を挿入する。
【００５２】
Ｓ２１は、静脈センサー７７が挿入部７９に挿入された上腕部の静脈走行情報を読み取る。
【００５３】
Ｓ２２では、血圧計７０の通信部７２からホスト５０に静脈走行情報が送信される。
【００５４】
Ｓ２３では、Ｓ１４と同様、認証処理部５３が、個人ＤＢ格納部４０を参照し、受信した静脈走行情報と一致するものがあるか否かに基づいて個人認証を行う。認証できれなければＳ２４へ、できればＳ２５へ進む。
【００５５】
Ｓ２４では、Ｓ１５と同様、基本情報の登録を被測定者に促すメッセージの表示、及び基本情報の登録を行う。
【００５６】
Ｓ２５では、測定部７５が血圧、心拍数を測定し、その結果を表示部７６に表示すると共に、通信部７２からホスト５０へ送信する。
【００５７】
Ｓ２６では、ホスト５０の制御部５１は、個人ＤＢ格納部４０に、Ｓ２２で受信した静脈走行情報に対応する血圧、心拍数レコードの値を今回計測した体重に更新保存、又は前回の履歴に追加して保存する。 
【００５８】
本実施形態によれば、被測定者の身体特徴量を個人ＤＢ格納部４０で一元管理することができる。また、複数種類の測定装置、例えば、体重計、血圧計などを測定システム１００に接続し、各測定装置において被測定者の身体特徴量を測定するための部位が異なる場合には、一の被測定者ＩＤにそれぞれの部位から得られる生体情報とを関連づけておく。これにより、被測定者は、測定システム１００に接続された測定装置において、測定動作を行うだけで個人認証を行い、そのデータを個人ＤＢ格納部４０に保存することができる。これにより、多様な測定装置を一の測定システムに接続した検診システムを構築し、予めホスト５０に個人認証に必要な生体情報を登録しておくことにより、被測定者は、各測定装置において測定動作を行いながら巡回するだけで、各被測定者毎に測定結果や算出結果を個人ＤＢ格納部４０に格納することができる。
【００５９】
上記実施形態において、ホスト５０にＲＴＣなどの計時部を備え、各測定値と、測定した日時とを関連づけて格納してもよい。
【００６０】
個人認証に用いる生体情報は、上記の他、虹彩パターンを用いてもよい。これを視力測定装置に適用し、被測定者が視力測定装置を覗いたときに虹彩パターンを読み取り、これに基づいて個人認証を行い、測定した視力を個人ＤＢ格納部４０に格納してもよい。
【００６１】
更に、本発明は、個体認証が行える生体の生体情報が取得でき、かつその生体情報を取得する動作と測定動作とを区別する必要がない測定装置であれば、人体を測定する測定装置に限らず適用することができる。
【図面の簡単な説明】
【００６２】
【図１】本発明を適用した体重計１０の上面図
【図２】体重計１０のブロック図
【図３】個人ＤＢを構成するテーブル例
【図４】体重計１０の処理の流れを示すフローチャート
【図５】本発明を適用した測定システム１００のブロック図
【図６】本発明を適用した血圧計７０の概略図
【図７】本発明を適用した血圧計９０の概略図
【図８】測定システム１００の処理の流れを示すフローチャート
【符号の説明】
【００６３】
１０：体重計、１２：個人ＤＢ格納部、２２：指紋センサー、４０：個人ＤＢ格納部、５０：ホスト、６０：体重計、７０：血圧計、８０：ネットワーク、１００：測定システム
【図１】
2007190272.tif 000003
【図２】
2007190272.tif 000004
【図３】
2007190272.tif 000005
【図４】
2007190272.tif 000006
【図５】
2007190272.tif 000007
【図６】
2007190272.tif 000008
【図７】
2007190272.tif 000009
【図８】
2007190272.tif 000010